(57)【特許請求の範囲】
【請求項１】
ヒートポンプサイクルを用いて給湯用の液体を加熱し、その加熱された液体を給湯器本体の貯湯タンク上部より蓄え、貯湯タンク下部より加熱源であるヒートポンプ本体に戻し、ヒートポンプ本体に戻す液体の温度が貯湯温度より低い予め設定された所定温度になると、ヒートポンプ本体の加熱動作を停止し、一方、貯湯タンクの残湯量が所定量以下になると、ヒートポンプ本体の加熱動作を開始するヒートポンプ式給湯器において、過去の使用湯量を記憶する使用湯量記憶手段と、この使用湯量記憶手段に記憶された過去の使用湯量より前日の使用湯量が所定量以上少ない場合に、加熱動作開始の残湯量を多く変更する加熱動作開始残湯量変更手段を備えていることを特徴とするヒートポンプ式給湯器。
【請求項２】
ヒートポンプサイクルを用いて給湯用の液体を加熱し、その加熱された液体を給湯器本体の貯湯タンク上部より蓄え、貯湯タンク下部より加熱源であるヒートポンプ本体に戻し、ヒートポンプ本体に戻す液体の温度が貯湯温度より低い予め設定された所定温度になると、ヒートポンプ本体の加熱動作を停止し、一方、貯湯タンクの残湯量が所定量以下になると、ヒートポンプ本体の加熱動作を開始するヒートポンプ式給湯器において、過去の使用湯量を記憶する使用湯量記憶手段と、過去の加熱動作開始残湯量を記憶する加熱開始残湯量記憶手段と、前記使用湯量記憶手段に記憶された過去の使用湯量より前日の使用湯量が所定量以上少ない場合に、加熱動作１回のみ加熱動作開始の残湯量を多く変更し、以降の加熱動作開始残湯量は前記加熱開始残湯量記憶手段に記憶された過去の残湯量にする加熱動作開始残湯量変更手段を備えていることを特徴とするヒートポンプ式給湯器。
【請求項３】
ヒートポンプサイクルを用いて給湯用の液体を加熱し、その加熱された液体を給湯器本体の貯湯タンク上部より蓄え、貯湯タンク下部より加熱源であるヒートポンプ本体に戻し、ヒートポンプ本体に戻す液体の温度が貯湯温度より低い予め設定された所定温度になると、ヒートポンプ本体の加熱動作を停止し、一方、貯湯タンクの残湯量が所定量以下になると、ヒートポンプ本体の加熱動作を開始するヒートポンプ式給湯器の沸き上げ制御において、過去の使用湯量を記憶し、過去の使用湯量より前日の使用湯量が所定量以上少ない場合に、加熱動作開始の残湯量を多く変更することを特徴とするヒートポンプ式給湯器の沸き上げ制御方法。
【請求項４】
ヒートポンプサイクルを用いて給湯用の液体を加熱し、その加熱された液体を給湯器本体の貯湯タンク上部より蓄え、貯湯タンク下部より加熱源であるヒートポンプ本体に戻し、ヒートポンプ本体に戻す液体の温度が貯湯温度より低い予め設定された所定温度になると、ヒートポンプ本体の加熱動作を停止し、一方、貯湯タンクの残湯量が所定量以下になると、ヒートポンプ本体の加熱動作を開始するヒートポンプ式給湯器の沸き上げ制御において、過去の使用湯量と過去の加熱動作開始残湯量を記憶し、過去の使用湯量より前日の使用湯量が所定量以上少ない場合に、加熱動作１回のみ加熱動作開始の残湯量を多く変更し、以降の加熱動作開始残湯量は過去に記憶された残湯量にすることを特徴とするヒートポンプ式給湯器の沸き上げ制御方法。
【発明の詳細な説明】
【０００１】
【発明の属する技術分野】
本発明はヒートポンプ式給湯器の沸き上げ動作の制御に関するものである。
【０００２】
【従来の技術】
最近、ＣＯ２冷媒を使用するヒートポンプ式給湯器が公知である。この給湯器では、沸き上げ温度を９０℃以上の高温に加熱することができ、加熱効率が高いという利点を有するが、ヒートポンプサイクルを用いて給湯用の液体を加熱するヒートポンプ本体に給水される液体の温度が高くなると、加熱効率が低下する。
【０００３】
また、湯の使用量が少ない場合、貯湯タンク内に多量の湯が残り、貯湯タンク内の多量の湯が一様に低下し、加熱動作を開始すると、少量沸き上げてすぐヒートポンプに給水される液体の温度が過熱停止温度以上になり運転をすぐ停止してしまう。
【０００４】
図６は従来のヒートポンプ式給湯器の構成図であり、図７は従来のヒートポンプ本体の構成図であり、図８は従来の制御装置のブロック図であり、９は従来の沸き上げ制御動作のフローチャートである。
図６において、１は給湯器本体、２は前記本体１内に配設された貯湯タンク、３は前記貯湯タンク２の下部と接続された給水配管、３ａはこの給水配管３に設けられた減圧弁、４は前記貯湯タンク２の上部と接続された給湯配管、４ａは逃し弁、５ａは前記貯湯タンク２の外壁面に取り付けられ、貯湯タンク２内の水の温度を検出する温度センサＡで、その温度センサＡ５ａを貯湯タンク２の外壁面のある所定容量の位置に取り付けることにより、その取り付け位置の検出温度から前記貯湯タンク２内の残湯量も検出する。６は前記貯湯タンク２の下部配管に取り付けられ、貯湯タンク２を全量沸き上げた場合に、ヒートポンプ本体１２の加熱動作を停止するための温度を検出する温度センサＣである。
【０００５】
７はヒートポンプ本体１０のヒートサイクルで発生した熱を貯湯タンク２内の水に置換するため、冷水管１０ａと温水管１０ｂとにより貯湯タンク２内の水をヒートポンプ本体１０との間で循環させる循環ポンプである。貯湯タンク２下部に接続された冷水管１０ａより循環ポンプ７でヒートポンプ本体１０に水が供給され、ヒートポンプ本体１０で加熱された水を貯湯タンク２の上部に接続された温水管１０ｂにより戻し貯湯タンク２内上部より貯湯する。
【０００６】
図８において、８は前記貯湯タンク２内の水の沸き上げ、ヒートポンプ本体１０の運転開始・停止を制御する制御部であり、前記温度センサＡ５ａ、及び温度センサＣ６の検出値と沸き上げ温度等を設定する操作部９からの入力値に基づいて、前記ヒートポンプ本体１０の加熱動作開始・停止及び循環ポンプ７の運転を制御する。
【０００７】
図７おいて、ヒートポンプ本体１０のヒートポンプサイクルは圧縮機１１、給湯用熱交換器１２、膨張弁１３、室外熱交換器１４、アキュームレータ１５を順次冷媒配管１０ｃにより接続して構成されている。ここで、室外熱交換器１４に吸熱するためにファン１６が取り付けてあり、また、給湯用熱交換器１２は圧縮器１１より吐出された高圧のガス冷媒と給湯用の水とを熱交換するもので、冷媒が流れる冷媒通路１２ａと給湯用の水が流れる給湯用水通路１２ｂを有する。
【０００８】
次に、従来の沸き上げ制御動作について、図９のフローチャートを用いて説明する。
まず、沸き上げ制御をスタートすると（Ｓ１）、制御部８で加熱動作開始の所定残湯量になったかどうか、温度センサＡ５ａで貯湯タンク２壁面の温度を検出する（Ｓ１３）。温度センサＡ５ａが所定温度（例えば４５℃）以下になると、所定残湯量（７５Ｌ）以下になったと判断し（Ｓ１４）、制御部８の指示で循環ポンプ７、及びヒートポンプサイクルを運転してヒートポンプ本体１０は一定の加熱能力（例えば４．５ＫＷ）で加熱動作を開始し（Ｓ４）、貯湯タンク２上部より操作部９で設定された貯湯温度Ｔ１℃（例えば９０℃）で湯を沸き上げ、温度センサＡ５ａが貯湯温度Ｔ１℃（例えば９０℃）を検出したかどうかを判定し（Ｓ９）、温度センサＡ５ａがＴ１℃（例えば９０℃）を検出すると、加熱動作を停止する（Ｓ１１）。温度センサＡ５ａが貯湯温度Ｔ１℃（例えば９０℃）を検出しないときは、温度センサＣ６が所定温度Ｔ２℃（例えば６０℃）を検出したかどうかを判定し（Ｓ１０）、温度センサＣ６が所定温度Ｔ２℃（例えば６０℃）を検出しないときは温度センサＡ５ａが貯湯温度Ｔ１℃（例えば９０℃）を検出したかどうかの判定（Ｓ９）にもどり、温度センサＣ６が所定温度Ｔ２℃（例えば６０℃）を検出すると、制御部８の指示でヒートポンプ本体１０の加熱動作を停止させて（Ｓ１１）、沸き上げ制御を終了する（Ｓ１２）。
【０００９】
【発明が解決しようとする課題】
従来のヒートポンプ式給湯器は、前日の使用湯量が少ない場合、残湯量が多くなって貯湯タンク２内の多量の湯が一様に低下し、次回の加熱動作を開始すると、少量沸き上げてすぐヒートポンプに給水される液体の温度が加熱停止温度以上になり、運転をすぐ停止しまい、蓄熱量が少なくなり、当日通常どおりに湯を使用した場合に湯切れを発生するという問題点があった。
【００１０】
本発明は、上記のような問題点を解消するためになされたもので、通常時よりも使用量が少なくなっても翌日以降湯切れを防止できるヒートポンプ式給湯器を提供することを目的とする。
【００１１】
【課題を解決するための手段】
本発明に係る請求項１記載のヒートポンプ式給湯器は、ヒートポンプサイクルを用いて給湯用の液体を加熱し、その加熱された液体を給湯器本体の貯湯タンク上部より蓄え、貯湯タンク下部より加熱源であるヒートポンプ本体に戻し、ヒートポンプ本体に戻す液体の温度が貯湯温度より低い予め設定された所定温度になると、ヒートポンプ本体の加熱動作を停止し、一方、貯湯タンクの残湯量が所定量以下になると、ヒートポンプ本体の加熱動作を開始するヒートポンプ式給湯器において、過去の使用湯量を記憶する使用湯量記憶手段と、この使用湯量記憶手段に記憶された過去の使用湯量より前日の使用湯量が所定量以上少ない場合に、加熱動作開始の残湯量を多く変更する加熱動作開始残湯量変更手段を備えている。
【００１２】
また、請求項２記載のヒートポンプ式給湯器は、ヒートポンプサイクルを用いて給湯用の液体を加熱し、その加熱された液体を給湯器本体の貯湯タンク上部より蓄え、貯湯タンク下部より加熱源であるヒートポンプ本体に戻し、ヒートポンプ本体に戻す液体の温度が貯湯温度より低い予め設定された所定温度になると、ヒートポンプ本体の加熱動作を停止し、一方、貯湯タンクの残湯量が所定量以下になると、ヒートポンプ本体の加熱動作を開始するヒートポンプ式給湯器において、過去の使用湯量を記憶する使用湯量記憶手段と、過去の加熱動作開始残湯量を記憶する加熱開始残湯量記憶手段と、前記使用湯量記憶手段に記憶された過去の使用湯量より前日の使用湯量が所定量以上少ない場合に、加熱動作１回のみ加熱動作開始の残湯量を多く変更し、以降の加熱動作開始残湯量は前記加熱開始残湯量記憶手段に記憶された過去の残湯量にする加熱動作開始残湯量変更手段を備えている。
【００１３】
また、請求項３記載のヒートポンプ式給湯器の沸き上げ制御方法は、ヒートポンプサイクルを用いて給湯用の液体を加熱し、その加熱された液体を給湯器本体の貯湯タンク上部より蓄え、貯湯タンク下部より加熱源であるヒートポンプ本体に戻し、ヒートポンプ本体に戻す液体の温度が貯湯温度より低い予め設定された所定温度になると、ヒートポンプ本体の加熱動作を停止し、一方、貯湯タンクの残湯量が所定量以下になると、ヒートポンプ本体の加熱動作を開始するヒートポンプ式給湯器の沸き上げ制御において、過去の使用湯量を記憶し、過去の使用湯量より前日の使用湯量が所定量以上少ない場合に、加熱動作開始の残湯量を多く変更する。
【００１４】
また、請求項４記載のヒートポンプ式給湯器の沸き上げ制御方法は、ヒートポンプサイクルを用いて給湯用の液体を加熱し、その加熱された液体を給湯器本体の貯湯タンク上部より蓄え、貯湯タンク下部より加熱源であるヒートポンプ本体に戻し、ヒートポンプ本体に戻す液体の温度が貯湯温度より低い予め設定された所定温度になると、ヒートポンプ本体の加熱動作を停止し、一方、貯湯タンクの残湯量が所定量以下になると、ヒートポンプ本体の加熱動作を開始するヒートポンプ式給湯器の沸き上げ制御において、過去の使用湯量と過去の加熱動作開始残湯量を記憶し、過去の使用湯量より前日の使用湯量が所定量以上少ない場合に、加熱動作１回のみ加熱動作開始の残湯量を多く変更し、以降の加熱動作開始残湯量は過去に記憶された残湯量にする。
【００１５】
【発明の実施の形態】
実施の形態１．
図１は本発明の実施の形態１を示すヒートポンプ式給湯器の構成図、図２は本発明の実施の形態１における制御装置のブロック図、図３は本発明の実施の形態１における沸き上げ制御動作を示すフローチャートである。
なお、本発明の実施の形態１におけるヒートポンプ本体１０の構成図は図７示した従来の構成と同一であるため、説明を省略する。
【００１６】
図１に示す本発明の実施の形態１における構成図と図６に示す従来のヒートポンプ式給湯器の構成図とで異なる点は、本発明の実施の形態１においては、４の給湯配管に使用湯量を検出する流量センサ１７の追加と制御部８の構成と温度センサＢ５ｂが取り付いていることである。
すなわち、本発明の実施の形態１においては、制御部８は、貯湯タンク２内の水の沸き上げ、及びヒートポンプ本体１０の運転開始・停止を制御する他に、加熱動作開始残湯量変更手段８ａと使用湯量記憶手段８ｂを備え、また、温度センサＢ５ｂは温度センサＡ５ａに比べて貯湯タンク２下部に取り付けられ、温度センサＡ５ａよりも多い残湯量を検出できる。
【００１７】
本実施の形態１におけるヒートポンプ式給湯器の沸き上げ制御動作について、図３のフローチャートを用いて説明する。
なお、従来例と同一または相当部分については説明を省略する。
【００１８】
まず、沸き上げ制御をスタートすると（Ｓ１）、制御部８で使用湯量を流量センサ１７で検出し、使用湯量記憶手段８ｂで記憶した過去の使用湯量を読込む（Ｓ２）。また、前日の使用湯量を読込む（Ｓ３）。前日の使用湯量と過去の使用湯量を比較して（Ｓ４）、前日の使用湯量が過去の使用湯量に比べて所定量（例えば１００Ｌ）以上の差があり、少ない場合は（Ｓ５）、貯湯タンク２内の蓄熱量が少ないと判断し、加熱動作開始の残湯量を温度センサＡ５ａより残湯量の多い温度センサＢ５ｂで検出する（Ｓ６）。温度センサＢ５ｂが所定温度（例えば４５℃）以下を検出すると所定残湯量（１５０Ｌ）以下になったと判断し（Ｓ７）、制御部８の指示で循環ポンプ７、及びヒートポンプ本体１０は一定の加熱能力（例えば４．５ＫＷ）で加熱動作を開始し（Ｓ８）、貯湯タンク２上部より操作部９で設定された貯湯温度Ｔ１℃（例えば９０℃）で湯を沸き上げ、温度センサＢ５ｂが貯湯温度Ｔ１℃（例えば９０℃）を検出したかどうかを判定し（Ｓ９）、温度センサＢ５ｂがＴ１℃（例えば９０℃）を検出すると、加熱動作を停止する（Ｓ１１）。温度センサＢ５ｂが貯湯温度Ｔ１℃（例えば９０℃）を検出しないときは、温度センサＣ６が所定温度Ｔ２℃（例えば６０℃）を検出したかどうかを判定し（Ｓ１０）、温度センサＣ６が所定温度Ｔ２℃（例えば６０℃）を検出しないときは温度センサＢ５ｂが貯湯温度Ｔ１℃（例えば９０℃）を検出したかどうかの判定（Ｓ９）にもどり、温度センサＣ６が所定温度Ｔ２℃（例えば６０℃）を検出すると、制御部８の指示でヒートポンプ本体１０の加熱動作を停止させて（Ｓ１１）、沸き上げ制御を終了する（Ｓ１２）。
【００１９】
一方、前日の使用湯量と過去の使用湯量を比較して（Ｓ４）、前日の使用湯量が過去の使用湯量に比べて所定量（例えば１００Ｌ）以下の場合は（Ｓ５）、貯湯タンク２内の蓄熱量が多いと判断し、加熱動作開始の残湯量を温度センサＡ５ａで検出する（Ｓ１３）。温度センサＡ５ａが所定温度（例えば４５℃）以下を検出すると、所定残湯量（７５Ｌ）以下になったと判断し（Ｓ１４）、制御部８の指示で循環ポンプ７、及びヒートポンプ本体１０は一定の加熱能力（例えば４．５ＫＷ）で加熱動作を開始し（Ｓ８）、所定の沸き上げ動作をして沸き上げ制御を終了する（Ｓ１２）。
【００２０】
このように、本実施の形態１によれば、前日の使用湯量が過去の使用湯量に比べて所定量（例えば１００Ｌ）以上の差があり、少ない場合は、加熱動作開始の残湯量を７５Ｌ以下から１５０Ｌ以下に変更しているので、貯湯タンクの蓄熱量が少ない場合でも、残湯量が多い状態から沸き上げを開始でき、湯切れを防止できる。
【００２１】
実施の形態２．
図４は本発明の実施の形態２における制御装置のブロック図、図５は本発明の実施の形態２における沸き上げ制御動作を示すフローチャートである。
なお、本発明の実施の形態２におけるヒートポンプ本体１０の構成図は図７に示した従来構成と同一であるため、説明を省略する。
【００２２】
図１に示す本発明の実施の形態２における構成図と図６に示す従来のヒートポンプ式給湯器の構成図とで異なる点は、本発明の実施の形態２においては、給湯配管４に使用湯量を検出する流量センサ１７を設けている点と、制御部８の構成と、貯湯タンク２には温度センサＡ５ａの他に温度センサＢ５ｂが取り付いている点である。
すなわち、本発明の実施の形態２においては、図４で制御部８は、貯湯タンク２内の水の沸き上げ、及びヒートポンプ本体１０の運転開始・停止を制御する他に、加熱動作開始残湯量変更手段８ａと、使用湯量記憶手段８ｂ、及び加熱動作開始残湯量記憶手段８ｃを備え、また、温度センサＢ５ｂは温度センサＡ５ａに比べて貯湯タンク２下部に取り付けられ、温度センサＡ５ａよりも多い残湯量を検出できる。
【００２３】
本実施の形態２におけるヒートポンプ式給湯器の沸き上げ制御動作について、図５のフローチャートを用いて説明する。
なお、従来例と同一または相当部分については説明を省略する。
【００２４】
まず、沸き上げ制御をスタートすると（Ｓ１）、制御部８で使用湯量を流量センサ１７で検出し、使用湯量記憶手段８ｂで記憶した過去の使用湯量を読込む（Ｓ２）。また、前日の使用湯量を読込む（Ｓ３）。前日の使用湯量と過去の使用湯量を比較して（Ｓ４）、前日の使用湯量が過去の使用湯量に比べて所定量（例えば１００Ｌ）以上の差があり、少ない場合は（Ｓ５）、貯湯タンク２内の蓄熱量が少ないと判断し、加熱動作開始の残湯量を温度センサＡ５ａより残湯量の多い温度センサーＢ５ｂで検出する（Ｓ６）。温度センサＢ５ｂが所定温度（例えば４５℃）以下を検出すると、所定残湯量（１５０Ｌ）以下になったと判断し（Ｓ７）、制御部８の指示で循環ポンプ７、及びヒートポンプ本体１０は一定の加熱能力（例えば４．５ＫＷ）で加熱動作を開始し（Ｓ８）、貯湯タンク２上部より操作部９で設定された貯湯温度Ｔ１℃（例えば９０℃）で湯を沸き上げ、温度センサＢ５ｂが貯湯温度Ｔ１℃（例えば９０℃）を検出したかどうかを判定し（Ｓ９）、温度センサＢ５ｂがＴ１℃（例えば９０℃）を検出すると、加熱動作を停止する（Ｓ１１）。温度センサＢ５ｂが貯湯温度Ｔ１℃（例えば９０℃）を検出しないときは、温度センサＣ６が所定温度Ｔ２℃（例えば６０℃）を検出したかどうかを判定し（Ｓ１０）、温度センサＣ６が所定温度Ｔ２℃（例えば６０℃）を検出しないときは、温度センサＢ５ｂが貯湯温度Ｔ１℃（例えば９０℃）を検出したかどうかの判定（Ｓ９）にもどり、温度センサＣ６が所定温度Ｔ２℃（例えば６０℃）を検出すると、制御部８の指示でヒートポンプ本体１０の加熱動作を停止させて（Ｓ１１）、次回の加熱動作の開始は加熱動作開始残湯量記憶手段８ｃで記憶した過去の加熱動作開始残湯量に変更して（Ｓ１５）、沸き上げ制御を終了する（Ｓ１２）。
【００２５】
一方、前日の使用湯量と過去の使用湯量を比較して（Ｓ４）、前日の使用湯量が過去の使用湯量に比べて所定量（例えば１００Ｌ）以下の場合は（Ｓ５）、貯湯タンク２内の蓄熱量が多いと判断し、沸き上げ開始の残湯量を温度センサＡ５ａで検出する（Ｓ１３）。温度センサＡ５ａが所定温度（例えば４５℃）以下を検出すると、所定残湯量（７５Ｌ）以下になったと判断し（Ｓ１４）、制御部８の指示で循環ポンプ７、及びヒートポンプ本体１０は一定の加熱能力（例えば４．５ＫＷ）で加熱動作を開始し（Ｓ８）、所定の沸き上げ動作をして、次回の加熱動作の開始は加熱動作開始残湯量記憶手段８ｃで記憶した過去の加熱動作開始残湯量に変更して（Ｓ１５）、沸き上げ制御を終了する（Ｓ１２）。
【００２６】
従って、本実施の形態２によれば、前日の使用湯量が過去の使用湯量に比べて所定量（例えば１００Ｌ）以上の差があり、少ない場合は、加熱動作開始の残湯量を７５Ｌ以下から１５０Ｌ以下に変更し、一方、次回の加熱動作開始の残湯量は通常の７５Ｌになるので、貯湯タンクの蓄熱量が少ない場合には一時的に残湯量が多い状態から加熱動作を開始して湯切れを防止でき、次回の加熱動作開始の残湯量は通常に戻るので、省エネ運転して電気代を安価にできる。
【００２７】
【発明の効果】
以上のように、本発明に係る請求項１のヒートポンプ式給湯器によれば、前日の使用湯量が過去の使用湯量に比べて所定量以上の差があり、少ない場合は、加熱動作開始の残湯量を多く変更するので、貯湯タンクの蓄熱量が少ない場合でも、残湯量が多い状態から加熱動作を開始でき、湯切れを防止できるヒートポンプ式給湯器を得られる。
【００２８】
また、本発明に係る請求項２のヒートポンプ給湯器によれば、前日の使用湯量が過去の使用湯量に比べて所定量以上の差があり、少ない場合は、加熱動作開始の残湯量を多く変更し、一方、次回の加熱動作開始の残湯量は通常の少ない残湯量になるので、貯湯タンクの蓄熱量が少ない場合には一時的に残湯量が多い状態から沸き上げを開始して湯切れを防止でき、次回の加熱動作開始の残湯量は通常に戻るので、省エネ運転して電気代を安価にできるヒートポンプ式給湯器を得ることができる。
【００２９】
また、本発明に係る請求項３のヒートポンプ式給湯器の沸き上げ制御方法によれば、前日の使用湯量が過去の使用湯量に比べて所定量以上の差があり、少ない場合は、加熱動作開始の残湯量を多く変更するので、貯湯タンクの蓄熱量が少ない場合でも、残湯量が多い状態から加熱動作を開始でき、湯切れを防止できる。
【００３０】
また、本発明に係る請求項４のヒートポンプ式給湯器の沸き上げ制御方法によれば、前日の使用湯量が過去の使用湯量に比べて所定量以上の差があり、少ない場合は、加熱動作開始の残湯量を多く変更し、一方、次回の加熱動作開始の残湯量は通常の少ない残湯量になるので、貯湯タンクの蓄熱量が少ない場合には一時的に残湯量が多い状態から加熱動作を開始して湯切れを防止でき、当日の次回の加熱動作開始の残湯量は通常に戻るので、省エネ運転し電気代を安価にできる。
【図面の簡単な説明】
【図１】  本発明の実施の形態１を示すヒートポンプ式給湯器の構成図である。
【図２】  本発明の実施の形態１における制御装置のブロック図である。
【図３】  本発明の実施の形態１における沸き上げ制御動作のフローチャートである。
【図４】  本発明の実施の形態２における制御装置のブロック図である。
【図５】  本発明の実施の形態２における沸き上げ制御動作のフローチャートである。
【図６】  従来のヒートポンプ式給湯器の構成図である。
【図７】  従来のヒートポンプ本体の構成図である。
【図８】  従来のヒートポンプ式給湯器における制御装置のブロック図である。
【図９】  従来の給湯器の沸き上げ制御動作のフローチャートである。
【符号の説明】
１  給湯器本体、２  貯湯タンク、５ａ  温度センサＡ、５ｂ  温度センサＢ、６  温度センサＣ、８  制御部、８ａ  加熱動作開始残湯量変更手段、８ｂ  使用湯量記憶手段、１０  ヒートポンプ本体。
【図１】
0003876738.tif 000002
【図２】
0003876738.tif 000003
【図３】
0003876738.tif 000004
【図４】
0003876738.tif 000005
【図５】
0003876738.tif 000006
【図６】
0003876738.tif 000007
【図７】
0003876738.tif 000008
【図８】
0003876738.tif 000009
【図９】
0003876738.tif 000010